(57)【要約】      （修正有）【課題】両軸受リールにおいて、制動モードを選択する操作部材の側のリールの外形を小さくした両軸受けリールの提供。【解決手段】両軸受リールは、スプールの回転を制動する制動装置と、スプール支持部に設けられ、操作部材６０の回動位置で制動装置の制動のモードを選択するモード選択部５０と、を備える。操作部材６０は、操作部材６０のスプールの軸方向への投影の長径の中心から一方に偏った支持軸５２で、リール本体１１のスプールを着脱するための開口が形成されている側の第１側板１７ａの中心Ｃから離隔した位置を中心に回動可能に支持される。操作部材６０の制動のモードを選択する回動位置の角度範囲は、支持軸５２から長径の中心に向かう線がリール本体１１の外形の中心Ｃに向く位置を基点に、支持軸５２と外形の中心Ｃを結ぶ線の両側にそれぞれ９０°以下である。【選択図】図６
2020010611.tif 000002
【特許請求の範囲】
【請求項１】
釣り糸が巻回されるスプールと、
前記スプールを回転可能に支持し、前記スプールの回転軸の方向に前記スプールが通過可能な開口が形成されたリール本体と、
前記リール本体の前記開口の側に着脱可能に結合され、前記スプールの軸を前記開口の側で回転可能に支持するスプール支持部と、
前記スプールの回転を制動する制動装置と、
前記スプール支持部に設けられ、操作部材の回動位置で前記制動装置の制動のモードを選択するモード選択部と、
を備え、
前記操作部材は、前記操作部材の前記スプールの軸方向への投影の長径の中心から一方に偏った支持軸で、前記スプールを着脱するための開口が形成されている側の前記リール本体の、前記スプールの回転軸の周りの外形の中心から離隔した位置を中心に回動可能に支持され、
前記操作部材の前記制動のモードを選択する回動位置の角度範囲は、前記支持軸から前記長径の中心に向かう線が前記リール本体の前記外形の中心に向く位置を基点に、前記支持軸と前記外形の中心を結ぶ線の両側にそれぞれ９０°以下である、
両軸受リール。
【請求項２】
前記操作部材は、
前記支持軸と、
前記支持軸に結合されるつまみと、
前記つまみとは前記支持軸の方向に空間をあけて対向し、前記支持軸に固定される選択部材と、
を含み、
前記支持軸は、前記つまみと前記選択部材との間で、前記スプール支持部に回動可能に支持される、請求項１に記載の両軸受リール。
【請求項３】
前記モード選択部は、
前記スプール支持部とは別体で前記スプール支持部に固定され、前記つまみの回動位置で選択される前記制動のモードを示す目盛盤を備え、
前記操作部材の支持軸は、前記つまみと前記選択部材との間で前記目盛盤によって、回動可能に支持される、請求項２に記載の両軸受リール。
【発明の詳細な説明】
【技術分野】
【０００１】
本発明は、スプールの回転を制動する制動装置の制動のモードを選択可能な両軸受リールに関する。
【背景技術】
【０００２】
両軸受リール、特にキャスティングで釣り糸を放出するルアーを用いるベイトキャスティングリールには、キャスティング時のバックラッシュを防止するためのスプール制動装置が設けられている。スプール制動装置として、スプールの糸繰り出し方向の回転を電子的に制御して制動する技術が知られている。
【０００３】
両軸受リールのキャスティングでは、釣り糸の種類、釣り糸につける仕掛けの種類および風の向きなどによって、バックラッシュの発生タイミングと量が変化する。電子制御制動装置では、それらの特性に応じて複数の制動のモードが設定されており、ユーザが制動のモードを選択できるものがある。例えば、特許文献１には、円盤状の制動切換つまみの回動位置で、８段階の制動モードの１つを選択できることが記載されている。
【先行技術文献】
【特許文献】
【０００４】
【特許文献１】特開２００５−２１１０５４号公報
【発明の概要】
【発明が解決しようとする課題】
【０００５】
制動切換つまみの回動位置で制動モードを選択する電子制御制動装置では、回動位置が検出されるつまみ本体の形状は円形であり、外部に露出している操作部である制動切換つまみと同形状である。そのため、制動切換つまみの周囲に、フレームおよびリール本体に円形の逃がし範囲が必要である。制動切換つまみの回動が占める円形の範囲を設けるために、フレームおよびリール本体の外形は、その分大きくしなければならない。
【０００６】
本発明は上述の事情に鑑みてなされたもので、両軸受リールにおいて、制動モードを選択する操作部材の側のリールの外形を小さくすることを目的とする。
【課題を解決するための手段】
【０００７】
本発明の観点に係る両軸受リールは、釣り糸が巻回されるスプールと、スプールを回転可能に支持し、スプールの回転軸の方向にスプールが通過可能な開口が形成されたリール本体と、リール本体の開口の側に着脱可能に結合され、スプールの軸を開口の側で回転可能に支持するスプール支持部と、スプールの回転を制動する制動装置と、スプール支持部に設けられ、操作部材の回動位置で制動装置の制動のモードを選択するモード選択部と、を備える。操作部材は、操作部材のスプールの軸方向への投影の長径の中心から一方に偏った支持軸で、スプールを着脱するための開口が形成されている側のリール本体の、スプールの回転軸の周りの外形の中心から離隔した位置を中心に回動可能に支持され、操作部材の制動のモードを選択する回動位置の角度範囲は、支持軸から長径の中心に向かう線がリール本体の外形の中心に向く位置を基点に、支持軸と外形の中心を結ぶ線の両側にそれぞれ９０°以下である。
【０００８】
好ましくは、操作部材は、支持軸と、支持軸に結合されるつまみと、つまみとは支持軸の方向に空間をあけて対向し、支持軸に固定される選択部材と、を含む。支持軸は、つまみと選択部材との間で、スプール支持部に回動可能に支持される。
【０００９】
好ましくは、モード選択部は、スプール支持部とは別体でスプール支持部に固定され、つまみの回動位置で選択される制動のモードを示す目盛盤を備え、操作部材の支持軸は、つまみと選択部材との間で目盛盤によって、回動可能に支持される。
【発明の効果】
【００１０】
本発明によれば、操作部材は、スプールの軸方向への投影の長径の中心から一方に偏った支持軸で回動可能に支持され、制動のモードを選択する回動位置の角度範囲は、支持軸から長径の中心に向かう線がリール本体の外形の中心に向く位置を基点に、支持軸と外形の中心を結ぶ線の両側にそれぞれ９０°以下なので、操作部材の側のリールの外形を小さくできる。
【図面の簡単な説明】
【００１１】
【図１】本発明の実施の形態に係る両軸受リールの正面図
【図２】実施の形態に係る両軸受リールの側面図
【図３】実施の形態に係る両軸受リールのカバーを除いた側面図
【図４】実施の形態に係る両軸受リールのモード選択部の分解斜視図
【図５】実施の形態に係る両軸受リールの部分断面図
【図６】実施の形態に係る操作部材の回動が占める範囲を表す図
【発明を実施するための形態】
【００１２】
以下、本発明の実施の形態について図面を参照して詳細に説明する。なお図中、同一または同等の部分には同一の符号を付す。
【００１３】
実施の形態．
図１は、本発明の実施の形態に係る両軸受リールの正面図である。図１は、両軸受リール１０を釣り竿に装着する場合の釣り竿の後端側から見た図である。両軸受リール１０は、釣り竿に装着されるリール本体１１、リール本体１１に回転自在に支持され釣り糸が巻回されるスプール１４、スプール１４を回転させるハンドル１２、キャスティングコントロール機構を調節するための抵抗操作部２３、およびドラグ調整用のスタードラグ１３を備える。
【００１４】
リール本体１１は、第１側板１７ａ、第２側板１７ｂ、連結部１７ｃおよび釣り竿装着部１７ｄから構成されるフレーム１７を含む。リール本体１１は、フレーム１７のスプール１４を着脱する側のカバー１８と、ハンドル１２の側を覆う駆動機構収納部１６を含む。スプール１４は、釣り糸が巻き付けられる糸巻胴部１４ａ、ならびに、糸巻胴部１４ａの両端に大径に形成された左右一対の第１フランジ部１４ｂおよび第２フランジ部１４ｃを有する。第１フランジ部１４ｂは、ハンドル１２と反対側に設けられ、第２フランジ部１４ｃは、ハンドル１２の側に設けられる。
【００１５】
図２は、実施の形態に係る両軸受リールの側面図である。図２は、両軸受リールをカバー１８の側から見た図である。図２では、ハンドル１２、釣り竿装着部１７ｄおよび駆動機構収納部１６が省略されている。カバー１８には、リール本体１１内に設けられた制動装置の、制動モードを選択するモード選択部５０の目盛盤５４を露出するための窓１８ａが形成されており、目盛盤５４とつまみ５１が見えている。制動装置は、スプール１４の糸繰り出し方向の回転を制動する。モード選択部５０のつまみ５１を回動させて、いずれかの目盛５４ａの位置に合わせることによって、複数の制動モードの１つを選択することができる。実施の形態では、５段階の制動モードが設定されている。図２では、５段階の中央の回動位置につまみ５１が合っている。
【００１６】
カバー１８は、リール本体１１からスプール１４の軸方向に引き出し、リール本体１１の内部に設けられた第２連結部４２を支点に揺動させて、開けることができる。図３は、実施の形態に係る両軸受リールのカバーを除いた側面図である。カバー１８は、第２連結部４２を支点にして揺動可能に支持されているが、図３では、カバー１８が省略されている。第１側板１７ａの外周は、スプール１４を着脱するための開口が形成されている側のリール本体１１の、スプール１４の回転軸の周りの外形である。第１側板１７ａは、円形である。第１側板１７ａには、スプール１４が軸方向に通過しうる開口２２が形成されている。
【００１７】
フレーム１７の第１側板１７ａの内周部には、スプール支持部１５、着脱部１９およびロック部材３８が配置されている。着脱部１９およびロック部材３８は、円環状に形成されており、スプール支持部１５に形成されている円筒状の基板収納部１５ａの外周に、揺動可能に嵌合する。着脱部１９に形成されている操作つまみ１９ｂが、ロック部材３８の外周に形成されている切欠部３８ｃに配置されている。着脱部１９は、外周に形成されたバヨネット突起１９ｃが、第１側板１７ａに形成された図示しないバヨネット溝と係合して、スプール支持部１５を第１側板１７ａに結合する。着脱部１９に形成されている操作つまみ１９ｂを操作して、着脱部１９を揺動させることによって、スプール支持部１５を第１側板１７ａに着脱することができる。
【００１８】
スプール支持部１５には、カバー１８を連結するための第１連結部４１が固定されている。第１連結部４１には、第２連結部４２が軸方向に摺動可能に支持されている。第２連結部４２は、段付円柱状であって、先端にカバー１８が固定される。
【００１９】
スプール支持部１５には、制動装置の制動力を調節する制動調節部１１８が支持されている。制動調節部１１８は、スプール支持部１５の中心のまわりに回動可能である。
【００２０】
スプール支持部１５に、つまみ５１の回動位置で制動装置の制動のモードを選択するモード選択部５０が設けられている。モード選択部５０は、目盛盤５４とつまみ５１を含む。目盛盤５４には、スプール支持部１５に固定される支持板５４ｂが一体に形成されている。目盛盤５４は、ねじ６１でスプール支持部１５に固定されている。目盛盤５４をスプール支持部１５に固定するねじ６１は、第１側板１７ａの中心Ｃに位置する。つまみ５１は、つまみ５１が結合する支持軸のまわりに回動可能に、目盛盤５４に支持されている。目盛盤５４には、制動モードの選択位置を示す目盛５４ａが形成されている。
【００２１】
図４は、実施の形態に係る両軸受リールのモード選択部の分解斜視図である。モード選択部５０は、支持軸５２に結合されているつまみ５１、目盛盤５４、発音板５５および選択部材５３を含む。選択部材５３には、３つの磁石５８がはめ込まれる保持穴５３ｃと、位置決め５６を収容する収容穴５３ｂが形成されている。選択部材５３の３つの保持穴５３ｃそれぞれに磁石５８がはめ込まれて固定される。位置決め５６は、収容穴５３ｂに摺動可能に収容される。位置決め５６には、収容穴５３ｂから突出させる方向に付勢するばね５７がはめられる。
【００２２】
目盛盤５４には、つまみ５１の支持軸５２が回動可能に嵌合する支持孔５４ｃが形成されている。発音板５５には、支持軸５２が回動可能に嵌合する軸孔５５ａが形成されている。発音板５５の外周には、目盛盤５４の裏面に形成された凹部に係合する凸部５５ｂが形成されている。発音板５５の凸部５５ｂが目盛盤５４の凹部に係合し、発音板５５は目盛盤５４に対して回り止めされる。
【００２３】
支持軸５２は、円筒形の側面に、軸に平行で互いに対向する２つの平面が回り止めとして形成されている。選択部材５３には、支持軸５２が回り止め嵌合する固定孔５３ａが形成されている。選択部材５３の固定孔５３ａは、支持軸５２の平面に対応する互いに対向する平面が形成されており、つまみ５１に対して決まった向きで回り止めされる。
【００２４】
支持軸５２は、目盛盤５４に形成された支持孔５４ｃと、発音板５５に形成された軸孔５５ａを貫通して、選択部材５３の固定孔５３ａに嵌合する。選択部材５３は、ねじ５９でつまみ５１の支持軸５２に固定される。目盛盤５４と発音板５５は、つまみ５１の台座５１ａと選択部材５３で挟まれる。つまみ５１と選択部材５３は一体となって、目盛盤５４および発音板５５に対して回動可能である。目盛盤５４は、支持板５４ｂに形成された固定孔５４ｄを通るねじ６１で、スプール支持部１５に固定される。したがって、支持軸５２は、つまみ５１と選択部材５３との間で目盛盤５４によって、回動可能に支持される。つまみ５１、支持軸５２および選択部材５３は、制動モードを選択する操作部材を構成する。
【００２５】
発音板５５には、選択部材５３に対向する面に、選択部材５３の制動モードを選択する回動位置に合わせて、位置決め５６の先端が嵌まる図示しない５つの穴が形成されている。つまみ５１と選択部材５３は、位置決め５６の先端が発音板５５の穴に嵌まる回動位置で停止されて位置決めされる。位置決め５６の先端が発音板５５の穴にはまるときに、発音板５５はばね５７の付勢力によって位置決め５６に弾かれて音を発生する。
【００２６】
図５は、実施の形態に係る両軸受リールの部分断面図である。図５は、スプール支持部１５、モード選択部５０、カバー１８、および、スプール１４とスプール軸２６の一部が示されている。図５では、フレーム１７、着脱部１９およびロック部材３８が省略されている。
【００２７】
スプール支持部１５には、基板収納部１５ａの内部に軸受収納部１５ｂが円筒状に形成されている。スプール支持部１５は、軸受収納部１５ｂに収納された軸受２５を介してスプール軸２６の一端を回転自在に支持している。スプール軸２６には、スプール１４および磁石２７が回り止め嵌合され、スプール１４および磁石２７とスプール軸２６は一体に回転する。スプール支持部１５の基板収納部１５ａの内部で、軸受収納部１５ｂの周囲に、基板組立体７０が配置され、スプール支持部１５に保持されている。
【００２８】
スプール支持部１５のカバー１８の側に、モード選択部５０の目盛盤５４がねじ６１で固定されている。スプール支持部１５と目盛盤５４には、一方に凸部が、他方に凹部が形成され、凸部と凹部が互いに嵌合して、位置決めされている。スプール支持部１５とモード選択部５０をカバー１８が覆っている。カバー１８に形成された窓１８ａから、目盛盤５４とつまみ５１が露出している。スプール支持部１５、軸受２５、基板組立体７０、モード選択部５０およびカバー１８は、一体で第１側板１７ａに着脱できる。
【００２９】
前述のとおり、つまみ５１の支持軸５２は、目盛盤５４と発音板５５を貫通し、選択部材５３は、ねじ５９で支持軸５２に固定されている。選択部材５３には、磁石５８が保持されている。選択部材５３には、また、位置決め５６が摺動可能に収容されている。位置決め５６はばね５７で発音板５５に向かって付勢されている。図５は、位置決め５６の先端が、発音板５５に形成された凹部５５ｃに嵌まっている状態を示す。つまみ５１、支持軸５２および選択部材５３は、モード選択部５０の操作部材６０を構成し、一体に回動する。
【００３０】
基板組立体７０は、スプール１４の回転速度を検出する図示しない速度検出部を備える。例えば、スプール１４に形成された回転する方向に周期的に変化するパターンから反射される光を、センサで読み取った信号から、回転速度を検出する。
【００３１】
基板組立体７０には、磁石２７と対向する部分にコイル７１が実装されている。磁石２７が回転すると、コイル７１に起電力が発生する。コイル７１の端子間を抵抗で接続して、コイル７１に電流を流すとスプール１４の回転を制動することができる。基板組立体７０では、スプール１４の回転に対して、コイル７１に流れる電流のタイミングと大きさを調節することによって、制動力を制御する。磁石２７、コイル７２および基板組立体７０は、制動装置を構成する。両軸受リール１０では、制動力を発生するタイミングと大きさの異なる複数の制動モードが設定されている。実施の形態では、５段階の制動モードが設定されている。
【００３２】
スプール支持部１５の選択部材５３に対向する部分に開口が形成されている。選択部材５３と基板組立体７０は、間に遮るものがなく、直に対向している。基板組立体７０の、選択部材５３に対向する面に、磁気センサ７２が実装されている。基板組立体７０は、磁気センサ７２で選択部材５３に保持された磁石５８の位置を検出し、選択部材５３の回動位置を識別する。例えば、つまみ５１が５段階の中央の回動位置にある状態で、３つの磁石５８それぞれに対向する位置に磁気センサ７２を実装し、３つの磁気センサ７２の磁気検出の有無の組み合わせで、５段階の回動位置を識別できる。あるいは、磁力線の方向を検出できる磁気センサ７２を２つ配置して、磁気センサ７２それぞれで検出する磁力線の向きの組み合わせで、回動位置を識別する。基板組立体７０は、識別した選択部材５３の回動位置に応じた制動モードで、制動力を制御する。
【００３３】
図６は、実施の形態に係る操作部材の回動が占める範囲を表す図である。前述のとおり、つまみ５１、支持軸５２および選択部材５３は、制動モードを選択する操作部材６０を構成する。図６では、操作部材６０が、５段階の中央の回動位置にある場合の、スプール１４の軸方向への投影がハッチングで示されている。操作部材６０が回動範囲の反時計方向の端にある状態が二点鎖線で示され、時計方向の端にある状態が点線で示されている。
【００３４】
図３、図４および図５に示されるように、操作部材６０は、操作部材６０のスプール１４の軸方向への投影の長径の中心から一方に偏った支持軸５２で、スプール１４を着脱するための開口２２が形成されている側のリール本体１１の、スプール１４の回転軸の周りの外形の中心Ｃから離隔した位置を中心に回動可能に支持されている。ここで長径とは、図形を互いに平行な２本の直線で挟んだときに、２本の直線の距離が最も大きい場合の、それぞれの直線と図形が接する点をつなぐ線分である。図６では、長径は、操作部材６０の投影の対称軸である。
【００３５】
操作部材６０の制動のモードを選択する回動位置の角度範囲は、支持軸５２から長径の中心に向かう線がリール本体１１の外形の中心Ｃに向く位置を基点に、支持軸５２とリール本体１１の外形の中心Ｃを結ぶ線の両側、時計方向にθ、反時計方向にφである。θとφは、それぞれ９０°以下である。図６では、θとφは等しく対称であるが、角度範囲は支持軸５２とリール本体１１の外形の中心Ｃを結ぶ線について対称でなくてもよい。
【００３６】
操作部材６０の長径は、図形を挟む２本の直線の距離が最も大きい位置であるから、操作部材６０の長径に直交する長さは、長径の長さより小さい。操作部材６０の回動位置の角度範囲は、支持軸５２とリール本体１１の外形の中心Ｃを結ぶ線から両側にそれぞれ９０°以下であるから、操作部材６０の回動が占める範囲は、支持軸５２を中心とする操作部材６０の投影が描く円のうち、回動位置が９０°を超えるリール本体１１の外形の中心Ｃから遠い部分が除外されている。その結果、操作部材６０の側のリールの外形を小さくできる。
【００３７】
実施の形態では、第１側板１７ａの外形は円であるが、スプール１４を着脱するための開口が形成されている側のリール本体１１の、スプール１４の回転軸の周りの外形は、円には限らない。外形が円でない場合、例えば、外形の軸方向への投影の重心、または、外形の軸方向への投影の長径の中心を、外形の中心とする。
【００３８】
実施の形態では、目盛盤５４がスプール支持部１５に固定される支持板５４ｂを含んで一体に形成されている。そのため、支持軸５２を支持するための台座をスプール支持部１５に形成する必要がなく、スプール支持部１５の金型を簡素化できる。また、モード選択部５０を組み立ててから、モード選択部５０の目盛盤５４をスプール支持部１５に固定して、同時に操作部材６０の位置決めができる。
【００３９】
モード選択部５０の操作部材６０の回動位置を検出する方法は、磁石５８と磁気センサ７２に限らない。例えば、選択部材５３にアブソリュート式のロータリーエンコーダのパターンを形成しておいて、反射光のパターンを検出して、回動位置を識別することができる。また、制動のモードは５段階に限らず、４段階以下、または６段階以上でも可能である。
【符号の説明】
【００４０】
１０    両軸受リール
１１    リール本体
１４    スプール
１５    スプール支持部
１７    フレーム
１８    カバー
１８ａ  窓
１９    着脱部
１９ｂ  操作つまみ
２２    開口
２６    スプール軸
２７    磁石
３８    ロック部材
４１    第１連結部
４２    第２連結部
５０    モード選択部
５１    つまみ
５１ａ  台座
５２    支持軸
５３    選択部材
５３ａ  固定孔
５３ｂ  収容穴
５３ｃ  保持穴
５４    目盛盤
５４ａ  目盛
５４ｂ  支持板
５４ｃ  支持孔
５４ｄ  固定孔
５５    発音板
５５ａ  軸孔
５５ｂ  凸部
５５ｃ  凹部
５６    位置決め
５７    ばね
５８    磁石
５９    ねじ
６０    操作部材
６１    ねじ
７０    基板組立体
７１    コイル
７２    磁気センサ
【図１】
2020010611.tif 000003
【図２】
2020010611.tif 000004
【図３】
2020010611.tif 000005
【図４】
2020010611.tif 000006
【図５】
2020010611.tif 000007
【図６】
2020010611.tif 000008